【手続補正書】
【提出日】平成16年7月8日(2004.7.8)
【手続補正１】
【補正対象書類名】明細書
【補正対象項目名】全文
【補正方法】変更
【補正の内容】
【書類名】      明細書
【発明の名称】  プロテクター装着ホースの製造方法
【特許請求の範囲】
【請求項１】  連続して供給されるゴム製ホースの外表面に離型剤を塗布してホースを内芯としてその外周にゴム製プロテクターを押出し成形した後所定寸法で切断し、端から一定寸法のプロテクターのみを切断除去して加硫することを特徴とするプロテクター装着ホースの製造方法。
【請求項２】  プロテクターの内周面を花びら状に押出してホース外周面との間に中空部を形成した請求項１のプロテクター装着ホースの製造方法。
【請求項３】  プロテクターの押出し方向をホースに対して平行にした請求項１又は２のプロテクター装着ホースの製造方法。
【請求項４】  プロテクターの切断除去が加硫後に行なわれる請求項１〜３いずれか１項に記載のプロテクター装着ホースの製造方法。
【請求項５】  プロテクターの外周に周方向に切断具で切れ目を入れてプロテクターを切断し、端部分をすごき抜いて除去する請求項１〜４いずれか１項に記載のプロテクター装着ホースの製造方法。
【請求項６】  ホースとプロテクターとの間に切断個所まで届く切断防止体を挿入し、切断防止体より外周側を切断具で切断する請求項５に記載のプロテクター装着ホースの製造方法。
【発明の詳細な説明】
【０００１】
【発明の属する技術分野】
本発明は、自動車のヒーターやラジエーター等に使用されるプロテクター装着ホースの製造方法に関するものである。
【０００２】
【従来の技術】
これらの自動車用ホースは、各部材が輻輳した狭いスペースで使用され、しかも、振動等によって動くことがあるから、他部材に当たって傷が付くことがある。このため、ホースの外周にプロテクターを装着して傷がホース本体に及ぶのを防いでいる。ホースの外周にプロテクターを装着する方法として、一旦成形して所定寸法で切断したホースの外周にプロテクターを嵌装するのが一般的である。蓋し、人為的に嵌めたり、型成形したり、余裕のあるものを嵌めて熱収縮させたりしていた。
【０００３】
しかし、このような方法によると、プロテクターの装着がホースの成形とは別工程となってコストが高くなるとともに、ホースが曲がり管であるとプロテクターの嵌装が困難になることがある。これを改善するものとして、特開平７−１３９６８５号公報には、ホースとプロテクターとを同軸押出して成形し、しかる後に両者を同時に加硫する（ホースもプロテクターもゴムであるから）方法が提案されている。
【０００４】
【発明が解決しようとする課題】
この方法によると、工程が短縮化されてコストが安くなる利点があるが、1)ホースとプロテクターを同時加硫すると、両者が接着してしまうこと、2)全長に亘ってプロテクターが装着されていると、却って具合が悪いことがある、といったことが指摘される。1)の場合、ホースとプロテクターが接着されると、単に肉厚を増しただけになり、プロテクターに生じた傷は、振動等が加わると成長してホースまで及ぶ。即ち、プロテクターはホースと分離されてこそ、本来のプロテクター機能を奏するのであるが、接着されていると、この機能が期待できない。
【０００５】
2)の場合、この種のホースは相手部材（パイプ）に外挿して接続されるのが通常であり、この場合、接続部の外周をバンド等で締め付けて固定の強化を図るが、この部分にまで弾性体のプロテクターが存在していると、バンド等による締付力を十分に発揮させることができない。本発明は、このような欠点を是正したものである。
【０００６】
【課題を解決するための手段】
そこで、本発明は、連続して供給されるゴム製ホースの外表面に離型剤を塗布してホースを内芯としてその外周にゴム製プロテクターを押出し成形した後所定寸法で切断し、端から一定寸法のプロテクターのみを切断除去して加硫することを特徴とするプロテクター装着ホースの製造方法を提供したものである。
【０００７】
以上の手段をとることにより、ホースとプロテクターとの間には離型剤が塗布されているから、両者を同時加硫したとしても、両層は分離されている。従って、後のプロテクター部分だけの切断除去も容易であるし、プロテクターが被層している部分もホースとは分離しているから、プロテクターに生じた傷が成長しても、この分離層で遮断されてホースまで及ばない。又、両端の接続部分は、プロテクターが除去されてホースだけになっているため、相手パイプに接続したときのバンド等による締付けが十分に行なわれる。
【０００８】
この場合において、両端部分のプロテクターの切断除去は加硫前に行っているが、加硫後であっても差し支えない。又、プロテクターの除去は、その外周の特定個所に周方向に切断具で切れ目を入れ、端の部分をすごき抜くことで可能であるが、この場合における離型剤の存在はこの操作を容易にする。加えて、切断時、ホースとプロテクターとの間に切断防止体を挿入しておけば、切断具によるホースの傷付きが防止できる。
【０００９】
【発明の実施の形態】
以下、本発明の実施の形態を図面を参照して説明する。図１は本発明に係るプロテクター装着ホースの製造方法の一例を示す工程図であるが、本発明では、ゴム製ホース１０とゴム製プロテクター１２とを同軸押出し成形するが、本例のゴム製ホース１０は、補強糸入りのものを採用している。そこで、内層ゴム押出機１４、糸巻付機１６、外層ゴム押出機１８、離型剤塗布機２０、プロテクター押出機２２、切断機２４等をラインに沿って直列に配置しておく。
【００１０】
そして、内層ゴム押出機１４でホース１０を構成する内層ゴム２８を押出し、その上に糸巻付機１６で補強糸３０を張り、更に、その上に外層ゴム押出機１８で外層ゴム３２を押出し、その外周に離型剤塗布機２０でシリコン等の離型剤３４を塗布し、最後に、その上にプロテクター押出機２２でプロテクター１２を押出してプロテクター装着ホース３６を連続製造し、これを適宜冷却槽（図示省略）を通して冷却した後、カッター等による切断機２４で所定寸法に切断する。この場合、プロテクター１２の押出し方向をホース１０に平行にすると、プロテクター１２によるホース１０への圧着が抑えられ、加硫後におけるプロテクター１２の除去が容易になる。
【００１１】
このようにして所定寸法に切断されたプロテクター装着ホース３６は、次に、端から一定寸法にあるプロテクター１２のみを切断する。切断の方法は種々あり、そのいずれであってもよいが、本例では、図２の説明図に示すように、円板カッター等からなる切断具３８によってプロテクター１２の特定個所（端から一定寸法ｒの個所）の外周の周方向に切れ目を入れる方法によっている。
【００１２】
切断具３８による切れ目は、プロテクター１２の部分だけに入れる必要があることから、本例では、ホース１０とプロテクター１２との間に薄肉筒条の切断防止体４０を挿入し、これから外周側だけを切断するようにして切断具３８の作用がホース１０に及ぶのを防止している。この場合、ホース１０とプロテクター１２との間には、離型剤３４が存在していることから、切断防止体４０の挿入は比較的容易である。
【００１３】
プロテクター１２に切れ目が入ると、これから端側を除去する。プロテクター１２の除去は、ホース１０との境界に離型剤３４が存在していることから、手又は機械ですごくようにすれば、抜き取ることができる。尚、プロテクター１２の端部分の切断除去は、通常、ホース１０の両端で行われる（両端ともに相手パイプに接続されるのが通常であるからであるが、両端で除去部分の長さが異なることはある）。
【００１４】
以上の操作が終了すると、これを加硫する。この種のホース１０は、曲がり管が多いから、その場合は、図３の説明図に示すように、所定の曲がり形状にしてある曲がりマンドレル４２に挿入して曲付けし、これを加硫する。尚、加硫には、熱風式、缶式その他があるが、そのいずれであってもよい。更に、本例では、プロテクター１２を除去した後に加硫したが、これによると、除去した未加硫のプロテクター１２を再利用できる利点がある。勿論、加硫後に除去してもよい。
【００１５】
以上、本発明の実施の形態について説明したが、本発明は、この他に種々改変された形態をとる。図４は他の例を示すホースの断面図であるが、このように、プロテクターの内周面を花びら状にすることも可能である。こうすると、ホースとプロテクターとの境界面に断熱性や分離性に優れた空気層を形成できるし、前記した切断防止体の挿入も容易になる。
【００１６】
更に、離型剤の塗布量、塗布域をホースの部位に応じて調整することも考えられる。即ち、プロテクターを除去する部分の離型剤の塗布量は、他の残存する部分の塗布量よりも多いことが理想であるから、ホースの流れに応じて離型剤塗布機からの離型剤の排出を制御すればよいことになる。この他、ホースには補強糸が入らないものもあるし、真っ直ぐなものもあるのはいうまでもない。
【００１７】
【発明の効果】
以上、本発明によると、ホースとプロテクターとの間には離型剤が塗布されて両者は分離しているから、たとえ、プロテクターに傷が生じてこれが成長したとしても、ホースまで及ばない。又、両端の接続部分は、プロテクターが除去されてホースだけになっているため、相手パイプに接続したときのバンド等による締付けが十分である。
【図面の簡単な説明】
【図１】
本発明の一例を示すプロテクター装着ホースの製造方法の工程図である。
【図２】
本発明の一例を示すプロテクターの切断の説明図である。
【図３】
本発明の一例を示すホースの加硫の説明図である。
【図４】
本発明の他の一例を示すホースの断面図である。
【符号の説明】
１０  ホース
１２  プロテクター
３８  切断具
４０  切断防止体